(57)【要約】【課題】全体の構成が簡易で使い勝手が良く、しかも脚部を容易且つ確実に座部に取付けることのできる浴室用椅子の脚部の取付構造及びこれを備えた浴室用椅子を提供する。【解決手段】下部開口状の筒状部１０が設けられる座部２と、前記筒状部１０に一端部が着脱自在に嵌入される脚部４と、該脚部４の一端部側側面に設けられて前記筒状部１０の内面に当接されるスペーサ５０とを備えている。【選択図】図２
2010200786.tif 000002
【特許請求の範囲】
【請求項１】
下部開口状の筒状部が設けられる座部と、
前記筒状部に一端部が着脱自在に嵌入される脚部と、
該脚部の一端部側側面に設けられて前記筒状部の内面に当接されるスペーサと、を備えてなることを特徴とする浴室用椅子の脚部の取付構造。
【請求項２】
前記スペーサの前面に、前記筒状部の内面に当接される凸状部が軸方向に形成されると共に、該凸状部の一端部に一端部側程低く傾斜する傾斜部が設けられた請求項１記載の浴室用椅子の脚部の取付構造。
【請求項３】
前記スペーサが、略中央に凸状部が設けられて前記脚部に外嵌されるスペーサ本体と、該スペーサ本体の一端部側に設けられて前記脚部に形成された第１孔に係止される第１係止片と、スペーサ本体の他端部側に設けられて前記脚部に形成された第２孔に係止される第２係止片と、を備えてなる請求項２記載の浴室用椅子の脚部の取付構造。
【請求項４】
請求項１乃至３の何れか一つに記載の浴室用椅子の脚部の取付構造を備えた浴室用椅子。
【発明の詳細な説明】
【技術分野】
【０００１】
本発明は、例えば高齢者、病人、身障者等が浴室内で使用する浴室用椅子の脚部の取付構造及びこれを備えた浴室用椅子に関するものである。
【背景技術】
【０００２】
従来、この種の浴室用椅子としては、例えば次のようなものが存在する。即ち、この従来のものは、座部と、背もたれと、脚部とから構成されている。座部の下面四隅には下向きに筒状部が形成されると共に、該筒状部の内周面及び脚部の外周面には、夫々一対の係合リブが周方向に形成されている。この係合リブの一端部には弧状面が設けられると共に、他端部にはストッパーが設けられており、更に中央部には半円状突起又は半円状凹溝が設けられている。係合リブは座部や脚部の成形後に、所定の加工を施して形成されることになる。
【０００３】
そして、座部の筒状部に脚部を挿入した後に回動して両者が取付けられる。即ち、係合リブ同士の係合により両者の離脱が規制されると共に、ストッパー同士の係合及び半円状突起と半円状凹溝との嵌合により回動が規制されて、両部材の取付状態が維持される。
【先行技術文献】
【特許文献】
【０００４】
【特許文献１】実公平８−１０２９２号公報
【発明の概要】
【発明が解決しようとする課題】
【０００５】
しかしながら、上記従来のものに於いては、係合リブの形成に別途加工を必要とするために、製作コストが嵩んでしまうという難点がある。しかも、その加工には、座部と脚部とのがたつきを防止すると共に、取付強度を確保するために、相当の精度が要求されることになる。このように、上記従来の脚部の取付構造は、費用面及び製作面に於いて大なる問題点を有していたのである。
【０００６】
また、脚部を座部に取付けるに際しては、座部の筒状部に脚部を挿入した後に回動させる必要があり、かかる一連の取付作業は必ずしも容易なものとは言えない。
【０００７】
それ故に、本発明はかかる点に鑑みてなされたものであり、その目的とするところは、全体の構成が簡易で使い勝手が良く、しかも脚部を容易且つ確実に座部に取付けることのできる浴室用椅子の脚部の取付構造及びこれを備えた浴室用椅子を提供することにある。
【課題を解決するための手段】
【０００８】
本発明に係る脚部の取付構造は、下部開口状の筒状部が設けられる座部と、前記筒状部に一端部が着脱自在に嵌入される脚部と、該脚部の一端部側側面に設けられて前記筒状部の内面に当接されるスペーサとを備えたものである。
【０００９】
このような脚部の取付構造に於いては、脚部を座部の筒状部に嵌入させて両部材が取付けられる。その際には、脚部の側面に設けられたスペーサが座部の内面に当接することになる。これにより、座部と脚部とのがたつきの発生が規制されると共に、かかる両部材の取付強度を十分に確保することができる。その結果、使用者に不安感や不快感等を与えることなく、安全で且つ快適な入浴が可能になるのである。
【００１０】
また、座部と脚部とは着脱自在に嵌入されているために、その分解及び組立が可能である。これにより、各構成部材を分解した状態で保管できると共に、この状態で搬送することが可能になる。従って、保管スペースの削減や搬送費の軽減を図ることができる。
【００１１】
更に、前記スペーサの前面に、前記筒状部の内面に当接される凸状部を軸方向に形成すると共に、該凸状部の一端部に一端部側程低く傾斜する傾斜部を設けても構わない。
【００１２】
この場合は、スペーサの凸状部は一端部側程低く傾斜する傾斜部を備えているために、脚部の一端部を座部の筒状部に嵌入するに際して、スペーサの凸状部が支障を与えるようなことはなく、容易に脚部の一端部を前記筒状部に嵌入することができる。
【００１３】
また、このようにして嵌入された脚部は、そのスペーサの凸状部が前記筒状部の内面に係合した状態で該筒状部に取付けられることになる。即ち、筒状部の内面と脚部の側面間に多少の間隙が存在するような場合であっても、前記凸状部が筒状部の内面に適切に係合するために、脚部をがたつかせることなく、座部の筒状部に強固に取付けることができる。このようにして、不当ながたつきの発生が適切に規制されるために、この両者間の取付強度を十分に確保できる。
【００１４】
更に、前記スペーサには、略中央に凸状部が設けられて前記脚部に外嵌されるスペーサ本体と、該スペーサ本体の一端部側に設けられて前記脚部に形成された第１孔に係止される第１係止片と、スペーサ本体の他端部側に設けられて前記脚部に形成された第２孔に係止される第２係止片とを備えさせてもよい。
【００１５】
この場合、スペーサの第１係止片を脚部の第１孔を係止させると共に、第２係止片を第２孔に係止させることにより、スペーサ本体を脚部に外嵌させた状態で、該脚部にスペーサを容易且つ確実に取付けることができる。
【００１６】
また、本発明に係る浴室用椅子は、前記脚部の取付構造を備えたものである。
【発明の効果】
【００１７】
以上のように、本発明に係る浴室用椅子の脚部の取付構造及びこれを備えた浴室用椅子は、全体の構成が簡易で且つ安価に製作することができるばかりか、使い勝手が良好であり、しかも脚部を座部に容易に且つ確実に取付けることができる。
【図面の簡単な説明】
【００１８】
【図１】本発明の一実施形態を示す浴室用椅子を示し、（ａ）は正面図で、（ｂ）は側面図である。
【図２】同座部と脚部との取付状態を示す断面図である。
【図３】同脚部の側面図である。
【図４】同連結具の使用状態を示し、（ａ）は平面図で、（ｂ）は断面図である。
【図５】同スペーサを示し、（ａ）は正面図で、（ｂ）は側面図である。
【図６】同スペーサを示し、（ａ）は断面図で、（ｂ）は図５（ａ）のＡ−Ａ線断面図である。
【発明を実施するための形態】
【００１９】
以下、本発明に係る脚部の取付構造の一実施形態について、図面に従って説明する。図１に示す浴室用椅子１は、上面に人が着座する座部２と、該座部２の後部側に着脱自在に取付けられる背もたれ３と、前記座部２の四隅部分に下向きに取付けられる脚部４とを備えている。座部２と背もたれ３とは、例えばポリエチレン樹脂やポリプロピレン樹脂等の合成樹脂で構成され、脚部４はステンレスやアルミニウム等の金属製パイプで構成されている。
【００２０】
座部２の四隅には下部開口状の筒状部１０が設けられており、同図（ｂ）に示すように、各筒状部１０の外側に位置する一側面には貫通孔１１が穿設されている。座部２の上面及び背もたれ３の前面には、例えば発泡ＥＶＡ等からなるパッド１２、１３が夫々着脱自在に取付けられる。
【００２１】
脚部４の一端部は、図２に示すように座部２の筒状部１０に嵌入されている。かかる脚部４は、図３に示すように、連結具２０を介して伸縮自在に連結される上下一対のパイプ２１、２２からなる脚部本体２３と、該脚部本体２３の下端部に装着されたゴム製の滑り止め２４とを備えている。図４に示すように、上パイプ２１の内面に軸方向に沿って凸部２５が形成されるよう、その外側面には凹部２６が軸方向に形成されている。また、凹部２６の下部側中央位置及びこれに対向する上パイプ２１の一側面には、取付孔２７ａ、２７ｂが穿設されている。一方、下パイプ２２の外側面には、上パイプ２１の凸部２５がスライド自在に嵌合する凹部２８が軸方向に形成されており、かかる凹凸嵌合により周方向の回動が規制される。凹部２８の中央位置及びこれに対向する一側面には所定間隔を有して複数の取付孔２９ａ、２９ｂが穿設されている。また、上パイプ２１の下端部には、図３に示すように安全性を確保するため、合成樹脂製の保護用リング３０が装着されると共に、図２のように下パイプ２２の上端部にも保護用リング３１が装着されている。
【００２２】
連結具２０は、図４に示すように、上パイプ２１に嵌脱自在に外嵌される一対の半割体４０、４１と、該半割体４０、４１間に配される棒状体４２とを備えており、該棒状体４２及び半割体４０、４１の一端部は支軸４３により回動自在に取付けられている。棒状体４２を下パイプ２２の所定の取付孔２９ａ、２９ｂ及び上パイプ２１の取付孔２７ａ、２７ｂに挿着することにより、脚部２３を所望の長さに調整できるように構成されている。一方の半割体４０の他端部には通孔４４が形成されると共に、該通孔４４に嵌合可能な嵌合凸部４５が他方の半割体４１の他端部に形成されており、この両者の嵌合により半割体４０、４１による上パイプ２１の外嵌状態が維持される。尚、半割体４０、４１及び棒状体４２は合成樹脂で構成され、支軸４３は金属で構成されている。
【００２３】
上パイプ２１の上部側の一側面には、図２及び図３に示すようにスペーサ５０が着脱自在に設けられている。また、これに対向する他側面に穿設された貫通孔３４には、上パイプ２１に内装されたストッパー６０の突起６１が出没自在に挿着されている。この突起６１は外向きに付勢された状態で、上パイプ２１の側面から突出しており、上パイプ２１を座部２の筒状部１０に嵌入した際に、該筒状部１０の貫通孔１１に嵌合する。これにより、座部２と上パイプ２１との取付状態が維持されることになる。尚、スペーサ５０及びストッパー６０は合成樹脂で構成されている。
【００２４】
スペーサ５０は、図５及び図６に示すように、上パイプ２１に外嵌される横断面略弧状のスペーサ本体５１と、その前面略中央に軸方向に突設された凸状部５２と、スペーサ本体５１の上端部略中央に設けられた第１係止片５３と、スペーサ本体５１の下端部略中央に設けられた第２係止片５４とを備えている。尚、第１係止片５３は先端部が上を向く断面略Ｌの字状に形成され、第２係止片５４は先端部が後方に向く断面略Ｌの字状に形成されている。また、凸状部５２の一端部には、該一端部側程低く傾斜する傾斜部５５が形成されている。スペーサ５０は、図２に示すように、その第１係止片５３を前記上パイプ２１の一側面に穿設した第１孔３２に係合させると共に、第２係止片５４を上パイプ２１の第２孔３３に係合させて上パイプ２１に取付ける。これにより、前記スペーサ本体５１が上パイプ２１に外嵌された状態で取付けられることになるが、かかる一連の取付作業は、非常に簡易に行うことができる。
【００２５】
本実施形態に係る浴室用椅子１は、以上のように構成されている。このような浴室用椅子１に於いては、スペーサ５０の凸状部５２が一端部側程低く傾斜する傾斜部５５を備えているために、該一端部を座部２の筒状部１０に嵌入するに際して、スペーサ５０の凸状部５２が支障を与えるようなことはなく、脚部４の上パイプ２１を前記筒状部１０に容易に嵌入することが可能である。
【００２６】
また、このようにして嵌入された脚部４は、そのスペーサ５０の凸状部５２が前記筒状部１０の内面に当接した状態で該筒状部１０に取付けられることになる。即ち、筒状部１０の内面と脚部４の側面間に多少の間隙が存在するような場合であっても、前記凸状部５２が筒状部１０の内面に当接するために、脚部４をがたつかせることなく、座部２の筒状部１０に強固に取付けることができる。特に、凸状部５２の一端部には傾斜部５５が設けられているため、前記間隙の大小に応じて適切にがたつきの防止を図ることができる。このようにして、不当ながたつきの発生が適切に規制されるために、この両者間の取付強度を十分に確保できることになる。その結果、使用者に不安感や不快感等を与えることなく、安全で且つ快適な入浴が可能になる。
【００２７】
更に、座部２と脚部４とは着脱自在に嵌入されているために、その分解及び組立が可能である。これにより、各構成部材２、４を分解した状態で保管できると共に、この状態で搬送することが可能になる。従って、保管スペースの削減や搬送費の軽減を図ることができる。
【００２８】
また、本実施形態に係る脚部４の取付構造は、一体成形可能な合成樹脂からなるスペーサ５０を脚部４の上パイプ２１に取付けて脚部４を構成すると共に、これを座部２の筒状部１０に嵌入するというものであるために、全体の構成が非常に簡易なものとなって、容易に且つ安価に製作できるという実用的な利点もある。
【００２９】
尚、上記実施形態に於いては、スペーサ５０に傾斜部５５を有する凸状部５２を設けて、これを座部２の筒状部１０の内面に当接させるようにしている。しかるに、本発明はこのような構成に限定されるものではなく、例えばスペーサ本体５１自体を前記筒状部１０の内面に当接させるように構成することも可能である。従って、凸状部５２や傾斜部５５等は必要に応じて設ければよいものであり、省略しても構わない。
【００３０】
また、スペーサ５０の脚部４への取付手段も上記実施形態の如きものに限られるものではない。
【００３１】
更に、本発明に係る脚部４の取付構造は、種々の浴室用椅子に対して幅広く適用可能であることは言う迄もない。
【００３２】
その他、座部２、背もたれ３及び脚部４の形状等の具体的な構成も、本発明の意図する範囲内に於いて任意に設計変更自在である。
【符号の説明】
【００３３】
１        浴室用椅子
２        座部
４        脚部
１０        筒状部
５０        スペーサ
５１        スペーサ本体
５２        凸状部
５３        第１係止片
５４        第２係止片
５５        傾斜部
３２        第１孔
３３        第２孔
【図１】
2010200786.tif 000003
【図２】
2010200786.tif 000004
【図３】
2010200786.tif 000005
【図４】
2010200786.tif 000006
【図５】
2010200786.tif 000007
【図６】
2010200786.tif 000008